(57)【要約】【課題】ユーザにとって利用価値の高いプリセット機能をプリセットメモリの効率的な利用を達成しつつ提供することのできるデジタル放送受信装置を提供する。【解決手段】プリセットメモリに登録する所定のプリセット情報として、１つの番組を登録の単位として、番組と該番組を含んでいる周波数とを特定する情報を登録する第１の登録形式と、１つの周波数を登録の単位として、周波数のみ特定する情報を登録する第２の登録形式のいずれかをユーザー選択できるようにデジタル放送受信装置を構成しておく。１つの周波数を登録の単位としてプリセットメモリに登録する場合は、１つの単位として必要なデータ量が、１つの番組を登録の単位とする場合よりも少なくなり、その結果、登録可能な単位数が増える。【選択図】　　図４
2004023252.tif 000002
【特許請求の範囲】
【請求項１】
それぞれの周波数に複数の番組が含まれるデジタル放送を受信するための放送受信装置であって、所定のプリセット情報を登録しておくためのメモリを備え、前記メモリに登録する所定のプリセット情報として、１つの番組を登録の単位として、番組と該番組を含んでいる周波数とを特定する情報を登録するか、１つの周波数を登録の単位として、周波数のみ特定する情報を登録するかをユーザー選択可能に構成されたことを特徴とするデジタル放送受信装置。
【請求項２】
それぞれの周波数に複数の番組が含まれるデジタル放送を受信するための放送受信装置であって、
所定のプリセット情報を登録するためのメモリと、
ユーザーが操作を行うための操作部と、
前記メモリに登録する所定のプリセット情報として、１つの番組を登録の単位として、番組と該番組を含んでいる周波数とを特定する情報を登録する第１の登録形式と、１つの周波数を登録の単位として、周波数のみ特定する情報を登録する第２の登録形式のいずれかで、前記メモリへの登録を行うことができ、かつ、前記第１の登録形式で登録を行うか前記第２の登録形式で登録を行うかについては前記操作部を介してのユーザー選択に応じて行うように構成された登録制御手段と、
を備えることを特徴とするデジタル放送受信装置。
【請求項３】
（１）前記登録制御手段によって行われた登録の形式が前記第１の登録形式である場合には、前記メモリに登録された前記番組と該番組を含んでいる周波数とを特定する情報を用い、前記操作部を介してユーザーによって選択された番組が再生されるように制御を行い、
（２）前記登録制御手段によって行われた登録の形式が前記第２の登録形式である場合には、前記メモリに登録された前記周波数のみ特定する情報を用い、前記操作部を介してユーザーによって選択された周波数について受信を行い、受信された該周波数の中からユーザーに対して１つの番組の選択を行うための入力を促し、それにより前記操作部を介してユーザーにより選択された番組が再生されるように制御を行う、選局制御手段をさらに備えること、
を特徴とする請求項２に記載のデジタル放送受信装置。
【請求項４】
前記デジタル放送はＤＡＢであり、
前記第１の登録形式が用いられる場合に前記メモリに登録される前記番組と該番組を含んでいる周波数とを特定する情報は、該番組に関する情報がサービスＩＤ、サービスラベル、およびサブチャンネルＩＤを含み、該周波数に関する情報が、周波数値、アンサンブルＩＤ、およびアンサンブルラベルを含んでおり、
前記第２の登録形式が用いられる場合に前記メモリに登録される前記周波数のみ特定する情報は、周波数値、アンサンブルＩＤ、およびアンサンブルラベルを含んでいること、
を特徴とする請求項２または請求項３に記載のデジタル放送受信装置。
【請求項５】
それぞれの周波数に複数の番組が含まれるデジタル放送を受信するための放送受信装置であって、
所定のプリセット情報を登録するためのメモリと、
ユーザーが操作を行うための操作部と、
前記メモリに登録する所定のプリセット情報として、１つの周波数を登録の単位として、周波数のみ特定する情報を登録する登録形式で、前記メモリへの登録を行う登録制御手段と、
を備えることを特徴とするデジタル放送受信装置。
【請求項６】
前記メモリに登録された前記周波数のみ特定する情報を用い、前記操作部を介してユーザーによって選択された周波数について受信を行い、受信された該周波数の中からユーザーに対して１つの番組の選択を行うための入力を促し、それにより前記操作部を介してユーザーにより選択された番組が再生されるように制御を行う選局制御手段をさらに備えること、を特徴とする請求項５に記載のデジタル放送受信装置。
【請求項７】
前記デジタル放送はＤＡＢであり、
前記メモリに登録される前記周波数のみ特定する情報は、周波数値、アンサンブルＩＤ、およびアンサンブルラベルを含んでいること、
を特徴とする請求項５または請求項６に記載のデジタル放送受信装置。
【発明の詳細な説明】
【０００１】
【発明の属する技術分野】
本発明は、デジタル放送の受信装置に関し、詳細には、このような受信装置における、受信可能な番組を予め登録するプリセット機能に関する。
【０００２】
【従来の技術】
現在、デジタル放送の実施及び検討が進められている。このようなデジタル放送では、一つの周波数に複数の番組が含まれる構成となっている。例えば、デジタル放送の一つであるＤＡＢ（Ｄｉｇｉｔａｌ　Ａｕｄｉｏ　Ｂｒｏａｄｃａｓｔｉｎｇ）では、１つの放送波（周波数）はアンサンブルと呼ばれ、それぞれのアンサンブルに複数の番組（オーディ番組、データ番組）が含まれている。
【０００３】
放送受信装置は、通常、番組を予め装置に登録しておく為のプリセット機能を有する。アナログ放送の場合には、番組毎に周波数が割り当てられていた、つまり周波数そのものが番組を識別する情報であったため、アナログ放送の受信装置では、受信可能な周波数を登録するという形で番組のプリセットを行うことができた。一方、デジタル放送では、それぞれの周波数に複数の番組が含まれる構成となる為、デジタル放送受信装置では、１つの番組を登録の単位とし、１つの番組についての登録内容として、番組に関する情報とその番組を含んでいる周波数に関する情報とをプリセット用のメモリ（以下、プリセットメモリ）に登録するという方式がとられていた。
【０００４】
【発明が解決しようとする課題】
このように、プリセットメモリへの番組の登録を行うことによって、例えばプリセットキーでユーザーが番組の選局を行うことができるような機能を提供することができる。しかしながら、このように、１つの番組について、周波数に関する情報と番組に関する情報とを登録するとういう方式では、それぞれの周波数に複数の番組が含まれるデジタル放送では、プリセットメモリを圧迫することとなる。
【０００５】
その一方で、デジタル放送では１つの周波数に複数の番組が含まれていることを考慮すると、従来のように、プリセットキーを押して予め登録しておいた１つの番組を選局するとういう方式でなく、受信可能な周波数についてはプリセットキーに割り当てられた周波数から選局し、その中にふくまれる個々の番組については、再生される音声等を確かめながら選らんでいくという方式も、ユーザーにとって利用価値が高いと考えることができる。
【０００６】
本発明はこのような事情に鑑みてなされた。すなわち、本発明は、ユーザにとって利用価値の高いプリセット機能をプリセットメモリの効率的な利用を達成しつつ提供することのできるデジタル放送受信装置を提供することを目的とする。
【０００７】
【課題を解決するための手段】
上記目的を達成するために、プリセットメモリに登録する所定のプリセット情報として、１つの番組を登録の単位として、番組と該番組を含んでいる周波数とを特定する情報を登録するか、１つの周波数を登録の単位として、周波数のみ特定する情報を登録するかをユーザー選択可能なように、デジタル放送受信装置を構成しておく（請求項１）。このような構成とすることにより、ユーザーは、周波数を特定する情報のみプリセットしておくだけで十分であると希望する場合には、プリセットメモリへの登録内容が周波数のみ特定する情報となるように、このデジタル放送受信装置を動作させることが可能となる。プリセットメモリへの登録内容が周波数のみ特定する情報で良い場合には、つまり、周波数を１つの登録の単位とする場合は、１つの単位についてプリセットメモリへ登録されるデータの量が、１つの番組を単位として登録する場合よりも少なくなる。したがって、周波数を１つの登録の単位としてプリセットメモリに登録する場合は、登録の単位数を増やすことができる。
【０００８】
また、上記目的を達成するため、所定のプリセット情報を登録するためのメモリおよび操作部を有するデジタル放送受信装置に、さらに、メモリに登録する所定のプリセット情報として、１つの番組を登録の単位として、番組と該番組を含んでいる周波数とを特定する情報を登録する第１の登録形式と、１つの周波数を登録の単位として、周波数のみ特定する情報を登録する第２の登録形式のいずれかで、メモリへの登録を行うことができ、かつ、第１の登録形式で登録を行うか第２の登録形式で登録を行うかについては、操作部を介してのユーザー選択に応じて行うように構成された登録制御手段を付加する（請求項２）。第２の登録形式の場合（１つの周波数を単位として登録する場合）は、１つの単位についてプリセット用のメモリへ登録されるデータの量が、第１の登録形式の場合（１つの番組を単位として登録する場合）よりも少なくなる。したがって第２の登録形式の場合は、第１の登録形式の場合よりも登録の単位数を増やすことができる。
【０００９】
追加としてデジタル放送受信装置に、
（１）登録制御手段によって行われた登録の形式が第１の登録形式である場合には、メモリに登録された、番組と該番組を含んでいる周波数とを特定する情報を用い、操作部を介してユーザーによって選択された番組が再生されるように制御を行い、
（２）登録制御手段によって行われた登録の形式が第２の登録形式である場合には、メモリに登録された、周波数のみ特定する情報を用い、操作部を介してユーザーによって選択された周波数について受信を行い、受信された該周波数の中からユーザーに対して１つの番組の選択を行うための入力を促し、それにより操作部を介してユーザーにより選択された番組が再生されるように制御を行う、選局制御手段を付加する構成としても良い（請求項３）。この選局制御手段によって、プリセット用のメモリへの登録内容に応じた選局の処理が行われる。
【００１０】
ここで、デジタル放送がＤＡＢである場合には、
（１）第１の登録形式が用いられる場合にメモリに登録される、番組と該番組を含んでいる周波数とを特定する情報は、該番組に関する情報がサービスＩＤ、サービスラベル、およびサブチャンネルＩＤを含み、該周波数に関する情報が、周波数値、アンサンブルＩＤ、およびアンサンブルラベルを含む構成とし、
（２）第２の登録形式が用いられる場合にメモリに登録される、周波数のみ特定する情報は、周波数値、アンサンブルＩＤ、およびアンサンブルラベルを含む構成とすることができる（請求項４）。
【００１１】
上記目的を達成するために、所定のプリセット情報を登録するためのメモリおよび操作部を有するデジタル放送受信装置に、メモリに登録する所定のプリセット情報として、１つの周波数を登録の単位として、周波数のみ特定する情報を登録する登録形式で、メモリへの登録を行う登録制御手段を付加する（請求項５）。このような構成とすることにより、ユーザーは、周波数を特定する情報のみプリセットしておくだけで十分であると希望する場合には、プリセットメモリへの登録内容が周波数のみ特定する情報となるように、このデジタル放送受信装置を動作させることができる。
【００１２】
追加として、このデジタル放送受信装置に、メモリに登録された、周波数のみ特定する情報を用い、操作部を介してユーザーによって選択された周波数について受信を行い、受信された該周波数の中からユーザーに対して１つの番組の選択を行うための入力を促し、それにより操作部を介してユーザーにより選択された番組が再生されるように制御を行う選局制御手段をさらに付加しても良い（請求項６）。
【００１３】
なお、デジタル放送がＤＡＢである場合には、メモリに登録される、周波数のみ特定する情報は、周波数値、アンサンブルＩＤ、およびアンサンブルラベルを含む構成とすることができる（請求項７）。
【００１４】
【発明の実施の形態】
図１に本発明の実施形態としてのＤＡＢの放送受信装置５０のブロック図を示す。ＤＡＢは、それぞれの周波数（アンサンブル）に複数の番組を含み、また、音楽やトーク番組などの音声サービスの他に、番組に関する情報（サービスＩＤ等）および周波数に関する情報（アンサンブルＩＤ）などからなる番組関連情報ををも配信している。
【００１５】
デジタル音声放送の放送波は、アンテナ１を介してチューナ部２に入力される。チューナ部２では、放送波周波数への同調、高周波信号増幅、及び、高周波信号を一定の振幅レベルの中間周波数信号（ＩＦ信号）に変換すること等が行われる。この際、妨害となる不要な周波数成分は放送波周波数のみを抽出するバンドパスフィルタによって取り除かれる。ＩＦ信号は、ＡＤコンバータ３によりデジタル化されデコーダ部４に送られる。
【００１６】
デコーダ部４は、受信データの解読処理を行い、番組関連情報を受信データから抽出して受信機制御部９に送ることができる。受信機制御部９は、デコーダ部４から番組関連情報を受け取ること、及びバッテリバックアップされたメモリ１０への書込み及び読出しを行うことの他、放送受信装置５０のあらゆる機能を司る。また、受信機制御部９は、表示部１２に、サービス名など必要な表示情報を表示させることができる。操作部１２は、ユーザが放送受信装置５０に対する様々な指示を与える為の操作部であり、プリセットキー等を含んでいる。なお、メモリ１０は、所定のプリセット用の情報を登録するプリセットメモリとして用いられる。
【００１７】
受信機制御部９からデコーダ４に番組指定の指示が送られると、デコーダ部４では、指定された番組の音声データを受信データから抽出する処理が行われる。そして、抽出された番組の音声データはＤＡコンバータ５に送られる。ＤＡコンバータ５では、デジタル信号からアナログ信号への変換が行われ、ＤＡコンバータ５からのアナログ信号は、電子ボリューム６において音量及び音質調整された後に、オーディオアンプ７を介してスピーカ８に送られる。
【００１８】
ＤＡＢのサービス階層は、図２のように表すことができる。すなわち、ＤＡＢは、１つの周波数（アンサンブル）に複数の番組（サービス）が含まれる構成であり、ユーザーは、最初にアンサンブルと呼ばれるネットワーク局を選択し、次にそのネットワーク局内のサービス（サービスＡ、サービスＢ、サービスＣ）を選択することによって、この番組を聴視することができる。
【００１９】
次に、デジタル放送受信装置５０におけるプリセット機能について、図３、図４のフローチャートを参照して説明する。このプリセット機能は、受信機制御部９による制御の下で、プリセットメモリとして用いられるメモリ１０へ、以下に示す各情報を登録することで実現される。
・周波数
・アンサンブルＩＤ
・アンサンブルラベル
・サービスＩＤ
・サービスラベル
・サブチャンネルＩＤ
【００２０】
また、デジタル放送受信装置５０におけるプリセット機能は、サービス単位のプリセットを行うか（以下、この登録形式をサービス・プリセットと記す）、アンサンブル単位のプリセットを行うか（以下、この登録形式をアンサンブル・プリセットと記す）、ということを選択可能な形式で提供される。ここで、サービス・プリセットの場合には、１つのサービス（番組）と該サービスが含まれる周波数に関する情報がプリセットメモリに登録され、一方、アンサンブル・プリセットの場合には、周波数に関する情報のみプリセットメモリに登録される。
【００２１】
図３のフローチャートは、プリセットメモリへの登録形式の選択に関する処理を示している。例えば、放送受信装置５０の電源投入によりこの処理が実行される。本処理が開始されると、まず、ユーザーから、サービス・プリセットを行うかアンサンブル・プリセットを行うかの選択の入力を受け付ける。ここでの選択は、ユーザーが操作部１１を介して所定の操作を行うことによって行われる。
【００２２】
ユーザーが選択したものがアンサンブル・プリセットである場合には（Ｓ１：アンサンブル仕様）、プリセットメモリのサイズと、アンサンブル・プリセットで必要な１つのアンサンブルについての情報のサイズとを考慮し、プリセットメモリに登録可能な最大の単位数ｍを求め設定しておく（Ｓ２）。一方、ユーザーが選択したものがサービス・プリセットである場合には（Ｓ１：サービス仕様）、プリセットメモリのサイズと、サービスプリセットで必要となる１つのサービスについての情報のサイズとを考慮し、プリセットメモリに登録可能な最大の単位数ｎを求め設定しておく（Ｓ３）。ステップＳ２またはステップＳ３の後、本処理は終了する。
【００２３】
なお、アンサンブル・プリセットで必要となる１つのアンサンブルについての情報のサイズは、サービス・プリセットで必要となる１つのサービスについての情報のサイズよりも小さいので、登録可能な単位数はアンサンブル・プリセットの場合の方が多く、よってｍ＞ｎとなる。
【００２４】
図４は、プリセットメモリへの登録処理を示すフローチャートである。本処理は、放送受信装置５０においてユーザーによって所定のキーが操作されると呼び出され実行されるものとする。本処理が開始されると、始めに、アンサンブルに関する情報をプリセットメモリに登録する（Ｓ１１）。ここで登録される内容は、サービス・プリセットの場合でも用いることができる。次に、図３の登録形式の選択処理によって設定されていたプリセットの仕様がどちらであるかを選択する（Ｓ１２）。アンサンブル・プリセットである場合には（Ｓ１２：アンサンブル仕様）、これ以上登録する内容はないので本処理は終了する。
【００２５】
一方、プリセットの仕様がサービス・プリセットである場合には（Ｓ１２：サービス仕様）、さらにサービス・プリセットで必要となるサービスに関する情報を反映するように、プリセットメモリへの登録を行う（Ｓ１３）。ステップＳ１３で登録の後、本処理は終了する。このように、図４の登録処理では、ユーザーによって選択されたプリセットの登録形式にしたがって、サービス関連の情報を登録するかが選択される構成となっている。
【００２６】
アンサンブル・プリセットが選択されている場合に、図４の処理によって、プリセットメモリに登録される内容の一例を下記表１に示す。この場合、１つの登録の単位（以下、１つの登録の単位をチャンネル（Ｃｈ）と記す）について登録されるデータは、周波数、アンサンブルＩＤ、およびアンサンブルラベルとなる。
【００２７】
【表１】
2004023252.tif 000003
【００２８】
一方、サービス・プリセットが選択されている場合に、図４の処理によって、プリセットメモリに登録される内容の一例を下記表２に示す。この場合、１つの単位（Ｃｈ）について登録されるデータは、周波数、アンサンブルＩＤ、アンサンブルラベル、サービスＩＤ、サブチャンネルＩＤとなる。
【００２９】
【表２】
2004023252.tif 000004
【００３０】
表１と表２を比較することでも、アンサンブル・プリセットの場合にプリセットメモリに登録される１単位のデータ量は、サービス・プリセットの場合の１単位のデータ量よりも少なく、よって、アンサンブル・プリセットの場合の方がより大きな単位数となることが理解できる。つまり、放送受信装置５０では、アンサンブル・プリセットとするかサービス・プリセットとするかを選択可能であるとともに、選択に応じてプリセットメモリに登録する形式を変更し、プリセットメモリが効率的に使用されるようにしている。
【００３１】
操作部１１に設けられたプリセットキーを押下してプリセット内容を呼び出して選局を行う処理では、アンサンブル・プリセットとサービスプリセットでは以下のように異なる処理となる。すなわち、サービス・プリセットでは、例えば、プリセットキーの１つが押下されてＣｈ１（表２）が選局されると、プリセットメモリ（表２）からＣｈ１に関するデータ（周波数、アンサンブルＩＤ、サービスＩＤ、サブチャンネルＩＤ、アンサンブルラベル、サービスラベル）が全て読み出され、これらの情報に基づいて、選択された周波数の受信が行われ、そして選択された番組を再生するための処理が行われる。
【００３２】
一方、アンサンブル・プリセットでは、プリセットキーの１つが押下されてＣｈ１（表１）が選局されると、プリセットメモリ（表１）からＣｈ１に関するデータ（周波数、アンサンブルＩＤ、アンサンブルラベル）が読み出され、これらの情報に基づいて、選択された周波数の受信が行われる。次に、周波数内の各サービスについては、さらにマニュアルによるユーザー入力を促し、ユーザが所定の操作を行ってサービスを選択すると、マニュアルで選択されたサービスを再生するための処理が行われる。
【００３３】
なお、図１に示した放送受信装置の構成は、一つの例であり、本発明は、様々な種類のデジタル放送の受信装置にも適用することができる。また、図３、図４に示したフローチャートも、様々な変形を行うことができる。例えば、図３に示すフローチャートは、放送受信装置５０の電源を投入した場合だけでなく、ユーザーが所定の操作を行った場合に実行されるような構成であっても良い。
【００３４】
周波数を特定するための情報として、および、番組と該番組を含んでいる周波数とを特定する情報として例示した、アンサンブルＩＤ、サービスＩＤ等といった情報は一つの例に過ぎず、これらは、同等な様々な情報で置き換えることができる。
【００３５】
【発明の効果】
以上説明したように本発明によれば、プリセットメモリへの登録を、アンサンブル・プリセットの形式で行うか、サービス・プリセットの形式で行うかをユーザーが選択することが可能となる。アンサンブル・プリセットの形式で登録する場合は、１つの単位として必要なデータ量が、サービス・プリセットの形式で登録を行う場合よりも少なくなり、その結果、登録可能な単位数が増え、プリセットメモリを効率よく利用することが可能となる。
【図面の簡単な説明】
【図１】本発明の実施形態としてのＤＡＢの放送受信装置のブロック図である。
【図２】ＤＡＢのサービス階層を表す図である。
【図３】プリセットメモリへの登録形式の選択に関する処理を示すフローチャートである。
【図４】プリセットメモリへの登録処理を示すフローチャートである。
【符号の説明】
２　チューナ部
３　ＡＤコンバータ
４　デコーダ部
９　受信機制御部
１０　メモリ
１１　操作部
１２　表示部
５０　放送受信装置
【図１】
2004023252.tif 000005
【図２】
2004023252.tif 000006
【図３】
2004023252.tif 000007
【図４】
2004023252.tif 000008